Podtech/llm-jp-corpus-v4-ja_patent huggingface dataset:
(57)【要約】      （修正有）【課題】有機性廃棄物処理装置において、有機性廃棄物を醗酵させる際に排出される水分と粉麈を効率良く排除することにより醗酵を円滑に進め、臭気を軽減できる装置を提供する。【解決手段】有機性廃棄物を有機性堆肥に転換する際に生じる排気中の水分を、排気とともに排気直管３に導き、排気直管３の中に着脱できるフィルター籠５を内蔵できる構造として排気途中の粉麈を除去し、排気直管３全体を冷却することにより、通過する排気を露結させ水分の除去もあわせて行う。【選択図】図１
2005126308.tif 000002
【特許請求の範囲】
【請求項１】
有機性廃棄物処理装置において有機性廃棄物を醗酵させ有機堆肥に転換する際に排気する排気中の水分の除去方法と、排気管内に籠状フィルターを配置することにより粉麈と水分を同時に除去できる装置である。
【請求項２】
本発明により排気中の水分を除去することにより、有機性廃棄物の醗酵臭を軽減でき、脱臭の効果も期待できるので脱臭器としても利用できる。
【発明の詳細な説明】
【発明の詳細な説明】
【技術分野】
【０００１】本発明は有機性廃棄物処理装置において有機性廃棄物を醗酵させ、有機堆肥に転換する過程において、発生する排気中の水分と粉麈を除去する装置に関するものである。
【背景技術】
【０００２】有機性廃棄物処理装置では有機性廃棄物を有機堆肥に転換する際に、醗酵分解するために、有機性廃棄物に多量の空気を送っています。この空気が有機性廃棄物を通過して蒸発、排気される際には多量の水分を含んでいます。この水分は速やかに醗酵槽及び排気管より排除することが望ましい。蒸発した水分が再び水滴となって醗酵物に逆流すると、醗酵の著しい阻害となります。また醗酵物が乾燥に至ると粉塵も多量に排気管に運び出します。この粉麈はフィルターの目詰まりを起こし、空気の流れを阻害し、醗酵そのものを遅らせる弊害を招きます。これらを少しでも解決することが求められているのが現状です。従来はこれらの解決のために、非常に煩雑な装置を用いていましたが本発明は簡単な仕組みで、この問題を解決しています。
【発明が解決しようとする課題】
【０００３】有機性廃棄物を醗酵させる際に排出する水分と、粉麈を効率良く排除する事が課題です。
【発明が解決する為の手段】
【０００４】本発明はこのような背景によってなされた物であり、有機性廃棄物処理装置における、簡単な水分除去装置と併用する粉麈除去装置を醗酵槽に付帯させることにより、醗酵を効率良く行う為の装置である。
【課題を解決する為の手段】
【０００５】すなわち請求項１記載の有機性廃棄物を有機性堆肥に転換する際に生じる排気中の水分を、排気とともに排気直管に導き、中に着脱できるフィルター籠を内蔵できる構造として途中の粉麈の除去と排気直管の全体を冷却することにより、通過する排気を露結させ水分の除去もあわせて行うことを目的とした方法です。
【発明実施の形態】
【０００６】以下本発明を図示により、実施の形態に基づき説明する。図１は本発明の実施図である。醗酵槽１の内部は有機性廃棄物を撹拌、醗酵させる過程において、供給された加熱空気と、醗酵熱によって、蒸発した排気が充満する。この排気を極力抵抗の少ない配管２によって排気直管３に導く。排気直管３は上部に排気導入口４を有し醗酵槽１より導かれた排気を導入する。排気直管３は開閉可能なフタ６によって着脱可能なフィルター籠５を排気導入口４の下に装着できる構造である。この排気直管３は有機性廃棄物処理装置の醗酵槽の熱に影響のされない外に配置する。通常外側に配置することにより、排気と外気との温度差により内部の排気は結露し、水滴は内壁を伝わって排気直管３の下方に流れ落ちる。排気直管３の下部はこの結露水を流す排水口７を設けてある。また温度差が少ない時は、図２排気直管３の外側を外部冷却管１０を巻くことにより、冷却効果を高めより多くの水分を除去することが出来る。図１導管８も、結露の効果を持ち、水滴は内壁を伝わって排気直管３の排水口７に集まる。排気は排気口９を経て外へ排出される。図３のように道管８の開閉フタ１２に内部冷却管１１を配置して排気中の水分を結露、排水をすることも可能です。
排気直管３は熱容量の大きい材質を用い、管壁は厚い方が効果をもたらします。
【発明の効果】
【０００７】蒸発した排気を速やかに結露して水分を除去することにより、排気の臭いを軽減させ、また、取り換えの容易なフィルター籠を用いることで、日常の作業を簡便に出来る効果がある。フィルターの安易な交換により常に抵抗の無い排気の排出により醗酵を促進できる効果もある。
【図面の簡単な説明】
【図１】有機性廃棄物処理装置の実施図である。
【図２】外側冷却装置の取り付け図である。
【図３】内部冷却装置の取り付け図である。
【符号の説明】
１    有機性廃棄物処理装置の醗酵槽
２    排気配管
３    排気直管
４    排気導入口
５    フィルター籠
６    排気直管のフタ
７    排水口
８    排気導管
９    排気口
１０  外部冷却管
１１  内部冷却管
１２  導管フタ
【図１】
2005126308.tif 000003
【図２】
2005126308.tif 000004
【図３】
2005126308.tif 000005
(57)【要約】【課題】  カットしたススキを長期間保存利用が可能であり、柔軟性を保持すると共に、色彩が多様に施されて装飾価値を高めることを目的とする。【解決手段】  塩を加え煮沸した染料液に浸漬して染色した後、更にグリセリン溶液に浸漬して乾燥することを特徴とする。【選択図】  なし【特許請求の範囲】
【請求項１】
塩を加え煮沸した染料液に浸漬して染色した後、更にグリセリン溶液に浸漬して乾燥することを特徴とするススキの着色方法。
【請求項２】
煮沸して染色する時間は３０分以内で、グリセリン溶液への浸漬時間が１〜２時間である請求項１記載のススキの着色方法。
【請求項３】
染色前にススキを乾燥させる請求項１又は２記載のススキの着色方法。
【発明の詳細な説明】
【技術分野】
【０００１】
本発明は、ススキの着色方法に関するものであり、着色することにより、観賞用としての利用価値を高めることができるススキに関するものである。
【背景技術】
【０００２】
自然の産物である木の枝葉や草花等の植物をカットして装飾等に利用する場合、カットした植物を活け花のように水にさし、水分を補給して生きた状態を保つ方法や、逆に乾燥させてドライフラワーとする方法がある。
【０００３】
しかし、水分の補給を行っても植物の寿命は短く、又ドライフラワーは折れたり、欠損し易く、更にいずれの場合でも植物本来の色彩に限定され、色彩の多様性に乏しいものであった。
そこで、カットした植物に色彩等の変化を与える工夫が提案されている。
【特許文献１】特開２００１−２３３７０２
【特許文献２】特開２０００−１４０７４７
【発明の開示】
【発明が解決しようとする課題】
【０００４】
本発明は、上記の点に鑑み、カットした植物を自然に近い状態で長期間保存利用が可能であり、柔軟性を保持すると共に、色彩が多様に施されて装飾価値を高めることを目的とするものであり、特にカットした後の利用に制約が多く、又ドライフラワーには不向きなススキを対象とするものである。
【課題を解決するための手段】
【０００５】
本発明は、カットしたススキの着色方法を提供するものであり、塩を加え煮沸した染料液に浸漬して染色した後、更にグリセリン溶液に浸漬して乾燥することを特徴とするものである。
【０００６】
煮沸して染色する時間は３０分以内で、グリセリン溶液への浸漬時間が１〜２時間が好適であり、染色前にススキを乾燥しておいても良いものである。
【発明の効果】
【０００７】
本発明は、染料液に塩を入れることによって、色を固定し、染色を鮮やかに仕上げる効果を有し、煮沸することで、短時間で確実に染め上げる効果を発揮し、染色後にグリセリン溶液に浸漬することで、ススキに柔軟性と長期間の形態保持を可能とする効果を与えるものである。
又、染色前にススキを乾燥させると、染色が一層効果的に行えるものである。
【発明を実施するための最良の形態】
【０００８】
本発明は、塩を加え煮沸した染料液にススキを浸漬して染色した後に、更にグリセリン溶液に浸漬して乾燥することで、任意の色に染め、長期間保存可能なススキを得るものである。
【０００９】
染料液の着色料は粉末・液体の何れでもよく、粉末であれば水に溶解させ、液体であれば適宜希釈して使用し、中でも天然染料が好適であり、水に対する量も染める色の濃淡によって増減することができ、ススキの地色も考慮して決定すればよく、又染色を複数回繰り返して行ってもよい。
【００１０】
塩は着色料に応じて適宜量加え、煮沸した染料液へススキを長くとも３０分間浸漬すれば充分である。
又、グリセリン溶液への浸漬は、グリセリンとお湯（４０℃前後が良い）を１：１の割合で混合して、１〜２時間程度行うものである。
【実施例１】
【００１１】
天然染料であるうこん染料（粉末）を水に溶かし、食塩を一握り加え、煮沸させた染料液の中へ切り取ったススキを約３０分間浸漬して、染料液より取り出し、表面を軽く洗った後、同量の水で希釈したグリセリン溶液へ１時間３０分浸漬した。そして、取り出したススキを自然（又は天日）乾燥した。
【００１２】
得られたススキは淡い黄色に染まり、自然のススキと趣が異なったものに感じられた。  又、柔軟性と滑らかさが認められ、長期間の保存が可能で、折れることもなく、穂が散ったり、しぼんだりもせず、水に濡れても色落ちもしなかった。
【実施例２】
【００１３】
合成着色料（赤色３号）５％と天然染料（澱粉）９５％の混材染料を水に溶解し、更に食塩を添加して煮沸させた染料液に、数日常温で乾燥させたススキを浸漬し、２０分後に取り出し表面を水洗いした。そして、同量の水で希釈したグリセリン溶液に２時間浸漬して取り出して乾燥させた。
【００１４】
得られたススキは紅色に着色され、前記実施例１と同様の特徴を有していた。
(57)【要約】［課題］これまでのＲＤＦ燃料では防水性に乏しく、雑菌がＲＤＦ燃料内部で活動して発熱、爆発火災事故まで起こしている。これでは安全なＲＤＦ発電など期待出来無い。［解決手段］本発明ではこれまでのＲＤＦ燃料にメタノールを加えて嫌気性菌や好気性菌のどちらの活動も抑え込んで発熱するのを防ぎ、さらに防水性と保存性を向上させる為に蝋でくるんである。これでＲＤＦの信頼性は確固たるものとなる。安全で信頼性バツグンのＲＤＦ発電が行なえるのである。そして生ゴミからメタンをつくり、このメタンからメタノールをつくる。ＲＤＦ発電所の近所にこのメタンとメタノールを製造するプラントを建てれば一石二鳥、とてもエコロジーである。【選択図】図１
2005126660.tif 000002
【特許請求の範囲】
【請求項１】
これまでのＲＤＦ燃料をメタノール漬けにし、蝋でくるんだＲＤＦ改良燃料。
【発明の詳細な説明】
［技術分野］
【０００１】  本発明は、これまでのＲＤＦ燃料の発熱危険性を抑え、防水性、高信頼の貯蔵安定性、ダイオキシンの発生を防ぐ高カロリーの燃焼性を実現したものである。
［背景技術］
【０００２】  火縄銃の火縄には雨の日でも発砲出来る様に蝋がぬられていた。
【０００３】  メタノールには毒性が有り、これで嫌気性菌も好気性菌も活動を抑えられる。
［発明の開示］
［発明が解決しようとする課題］
【０００４】  これまでのＲＤＦ燃料だと防水性にとぼしく、ＲＤＦ燃料の中にいる雑菌が活動して発熱し、火災爆発事故を起こしていた。
【０００５】  そこで本発明は、防水性を完璧にし、高信頼の貯蔵安定性を実現し、高カロリーの燃焼でダイオキシンの発生を防ぐ事を目的としたエコロジアルな燃料なのである。
［課題を解決するための手段］
【０００６】  本発明は上記目的を達成するため、これまでのＲＤＦ燃料をメタノール漬けにして、嫌気性菌も好気性菌も共に活動を抑えて発熱させない様にして、さらに防水性、貯蔵安定性を高める為にこれを蝋燭の蝋でくるんでいる。
［発明の効果］
【０００７】  本発明はＲＤＦ発電を安全に確実に実施していけるものである。燃焼温度が高くダイオキシンが発生せず、高効率で発電出来、ゴミが燃料なのでとてもエコロジーである。
［発明の実施するための最良の形態］
【０００８】  お菓子でクッキーをチョコレートでくるんだものが有るが、このクッキーをこれまでのＲＤＦ燃料、チョコレートを蝋だと見なし、このお菓子製造機を改造して、ＲＤＦをメタノールに漬けて、次に蝋でくるむ様にする。おおざっぱに円筒形になる様にする。メタノールはメタンから容易につくれる。
【０００９】  生ゴミからメタンをつくる。メタン菌を培養して数を増やして効率を上げる。（このメタンで天然ガス車を走らせても良い、ガソリン車と比べてＣＯ２排出量を約２５％カットできる。）このメタンから容易にメタノールがつくれるのでこれを利用すると共に、ＲＤＦ発電所のすぐ近所に生ゴミからメタンとメタノールを製造するプラントも急いで建てるべし。
【図面の簡単な説明】
【００１０】
【図１】ａ：ＲＤＦ＋メタノール  ｂ：蝋
【図１】
2005126660.tif 000003
(57)【要約】【課題】  魚類のうろこより高分子状態のまま高濃度で水溶性のコラーゲンを抽出し、常温下でも高分子状態を保ちコラーゲン分子が線維状になっている、強度を持ったフィルムを提供することにある。【解決手段】  従来魚類のうろこから水溶性コラーゲンを抽出する場合、脱灰処理したうろこを加水分解または酵素分解してコラーゲン質を得るが、この方法により得られたコラーゲンはペプチド状態まで低分子化されたものであり、水分を蒸発させ乾燥したものではペレット状となってしまい強度のあるフィルム状にならない。しかし、うろこを粗粉砕または脱灰処理したうろこを粗粉砕したものに水分を加え短時間抽出したコラーゲンは、コラーゲン分子が繊維状を保っているため、強度を持ったフィルムを提供することが可能となる。【特許請求の範囲】
【請求項１】
魚類のうろこより抽出されて得られた水溶性コラーゲン、または脱カルシウム処理した粗コラーゲン質より得られた水溶性コラーゲンを乾燥させて製造された、常温でも溶解せず強度を保つことのできることを特徴とするコラーゲンフィルム。
【発明の詳細な説明】
【発明の詳細な説明】
【技術分野】
【０００１】  本発明は、従来変性温度が低く高分子状態での抽出が困難で常温でフィルム状にしにくいといわれた魚類のうろこより抽出されたコラーゲンを、安価で短時間に簡便な方法によりコラーゲンフィルム製造し、美容用コラーゲンマスク、医療用人工皮膚代替品等を提供することである。
【背景技術】
【０００２】  従来、魚類のウロコより抽出された水溶性コラーゲンは変性温度が低く常温でも低分子化してしまい、常温でも高分子状態を保ち、強度を持ったフィルム状にすることが困難であった。【０００３】  また、魚類の骨・皮・ウロコ等より抽出されたコラーゲン（いわゆるフィッシュコラーゲン）を成分の一部として不織布等に含浸させた美容用のフェイスマスクは販売されているが、コラーゲンのみをフィルム状にし、フェイスマスクとして利用している商品はない。
【発明が解決しようとする課題】
【０００４】  魚類のうろこより高分子状態のまま高濃度で水溶性のコラーゲンを抽出し、常温下でも高分子状態を保ちコラーゲン分子が線維状になっている、強度を持ったフィルムを提供することにある。
【課題を解決するための手段】
【０００５】  従来魚類のうろこから水溶性コラーゲンを抽出する場合、脱灰処理したうろこを加水分解または酵素分解してコラーゲン質を得るが、この方法により得られたコラーゲンはペプチド状態まで低分子化されたものであり、水分を蒸発させ乾燥したものではペレット状となってしまい強度のあるフィルム状にならない。しかし、うろこを粗粉砕または脱灰処理したうろこを粗粉砕したものに水分を加え短時間抽出したコラーゲンは、コラーゲン分子が繊維状を保っているため、強度を持ったフィルムを提供することが可能となる。
【発明を実施するための最良の形態】
【０００６】  本発明によるコラーゲンフィルムとは、魚類のうろこを由来とし、粗粉砕したものまたは脱灰処理をほどこしたものに水分を加え、短時間加熱処理をし、水溶性のコラーゲンを得る。この方法により得られた水溶性コラーゲンを平滑な板の上に均一に薄く広げ乾燥させる。【０００７】  乾燥により得られたフィルム状のコラーゲンは、他の方法により抽出されたコラーゲンを乾燥させたもののようにペレット状にならず、強度のあるフィルムとなる。【０００８】  フィルム状となったコラーゲンを、用途に合わせた抜き型により美容に用いるコラーゲンフェイスマスクや医療用の人工皮膚代替品として利用することができる。
【発明の効果】
【０００９】  本発明のコラーゲンフィルムは純粋なコラーゲンのみの原材料として化粧料、医薬部外品、医薬品等に使用できるものである。
(57)【要約】      （修正有）【課題】  タイヤを、パンクレス化するための、空気の替わりにタイヤチューブに注入する振動吸収特性に優れる材料を提供する。【解決手段】  ハードセグメントとしてスチレンまたはオレフィン結晶のブロックと、ソフトセグメントとして、ブテン、エチレンブテン、エチレンプロピレンまたはイソプレンのブロックよりなるコーポリマーを油添した軟質エラストマーを空気の代わりにタイヤチューブに注入することにより、空気と同等の振動吸収特性を維持しつつ、タイヤをパンクレス化する。【選択図】  図１
2005126654.tif 000002
【特許請求の範囲】
【請求項１】
エラストマー軟質樹脂である下記（イ）に軟化材としてパラフィン系プロセスオイルを５％以上混合した、加熱軟化することによりタイヤチューブに注入可能で、タイヤに求められる振動吸収特性を有したエラストマー軟質樹脂材料、なお、この組成物には必要に応じて、発泡剤、染料または顔料および各種添加剤、例えば老化防止剤、酸化防止剤等を含むこともある。
（イ）強度、耐熱性を維持するためのハードセグメントとしてポリスチレンまたはオレフィン結晶ブロックコポリマーのブロックを、柔軟性を維持するためのソフトセグメントとしてブテン、エチレンブテン、エチレンプロピレンまたはイソブレンのブロックを、その両者を有する共重合体、例えば、スチレンブタジエンスチレンブロックコポリマー（以下、ＳＢＳという）、スチレンエチレンブタジエンスチレンブロックコポリマー（以下、ＳＥＢＳという）、スチレンエチレンブタジエンオレフィン結晶ブロックコポリマー（以下、ＳＥＢＣという）、オレフィン結晶エチレンブタジエンオレフィン結晶ブロックコポリマー（以下、ＣＥＢＣという）、スチレンエチレンプロピレンスチレンブロックコポリマー（以下、ＳＥＰＳという）及びスチレンイソプレンスチレンブロックコポリマー（以下、ＳＩＳという）なお、この組成物には必要に応じて、ポリプロピレン硬質樹脂、ポリエチレン硬質樹脂、発泡剤、染料または顔料および各種添加剤、例えば老化防止剤、酸化防止剤等を混練することもある。
【発明の詳細な説明】
【技術分野】
【０００１】  本発明は、走行に使われるタイヤに関し、詳しくは、適度な振動吸収特性を必要とする自動二輪車、自転車、牽引車、農機及び一般産業用車輌などに関する。
【背景技術】
【０００２】  市場でのパンクしないタイヤに対する要求は高く、これまで、パンクレスタイヤとして、タイヤを構成する合成ゴムまたは天然ゴムによる中実体のチュープまたはチューブに発泡ウレタンを注入するなどが市場に提供されている【０００３】  しかしながら、前者は振動吸収特性が優れず、後者は振動吸収特性が優れない点とチューブへの注入作業が困難であることが指摘されており、幅広く市場に広がっておらず、振動吸収特性に優れ、またチューブに容易に注入可能な空気の代替えとなる材料が求められている。
【発明の開示】
【発明が解決しようとする課題】
【０００４】  解決しようとしている課題は、タイヤに求められる適切な振動吸収特性特性を有し、チューブに容易に注入可能な油添熱可塑性エラストマーを提供することにある。
【課題を解決させるための手段】
【０００５】  本発明は、油添したＳＢＳ、ＳＥＢＳ、ＳＥＢＣ、ＣＥＢＣ、ＳＥＰＳ若しくはＳＩＳからなる熱可塑性エラストマー軟質樹脂材料を加熱軟化させタイヤチューブに注入することにより、タイヤに適切な振動吸収特性を達成するための弾力特性を材料に付与する。
【発明を実施するための最良の形態】
【０００６】  熱可塑性エラストマーにパラフィン系プロセスオイルを少なくとも５％以上添加する。【０００７】  パラフィン系プロセスオイルは、混合機で熱可塑性エラストマー軟質樹脂材料と共に加熱することにより、熱可塑性エラストマー軟質樹脂の分子鎖間に吸収、保持される。【０００８】  さらにタイヤチューブに注入された際の重量を軽減させるため、パラフィン系プロセスオイルの混合時若しくはタイヤチューブに注入時の熱可塑性エラストマー軟質樹脂材料を加熱軟化させた際に、窒素ガス等によるエアレーション若しくは発泡剤の添加により熱可塑性エラストマーを独立気泡構造とすることもある。【０００９】  加熱軟化された熱可塑性エラストマー軟質樹脂材料は、適度な圧力が掛けられる注入機にて、タイヤチューブの空気注入口より注入される。
【実施例】
【００１０】  以下、実施例を挙げて本発明を更に具体的に説明するが、本発明は、その要旨を超えない限り、これらの実施例に何ら制約されるものではない。【００１１】  エラストマー軟質樹脂にパラフィン系プロセスオイルを８０％混合した熱可塑性エラストマー軟質樹脂体の振動吸収特性を評価した。【００１２】  結果、熱可塑性エラストマー軟質樹脂体は、ゴム単体およびウレタン発泡体に比較し振動吸収特性が向上していることが確認できた。【００１３】  評価結果を図１に示す。
【図面の簡単な説明】
【図１】  振動吸収特性の評価結果である。
【図１】
2005126654.tif 000003
(57)【要約】【課題】セレン、テルルを含む還元滓中に含まれるロジウム、ルテニウムを濃縮する方法の開発。【解決手段】Ｓｅ，Ｔｅ，Ｒｕ，Ｒｈを含む還元滓を５０〜１５０ｇ／Ｌのスラリー濃度と成るように、濃度１００〜１５０ｇ／Ｌの水酸化ナトリウム水溶液に入れ、過酸化水素を一定量添加し続け浸出処理を行い、銀−塩化銀電極基準の酸化還元電位が、−３３０〜−４１５ｍVに成った時点で、過酸化水素の添加を中止し、反応を終了することによりＳｅ，Ｔｅを溶解し、Ｒｕ，Ｒｈを残渣に残すことを特徴とするセレン、テルルを含む還元滓の浸出方法。【特許請求の範囲】
【請求項１】
Ｓｅ、Ｔｅ、Ｒｕ、Ｒｈを含む還元滓を５０〜１５０ｇ／Ｌのスラリー濃度と成るように、濃度１００〜１５０ｇ／Ｌの水酸化ナトリウム水溶液に入れ、過酸化水素を一定量添加し続け浸出処理を行い、銀−塩化銀電極基準の酸化還元電位が、−３３０〜−４１５ｍVに成った時点で、過酸化水素の添加を中止し、反応を終了することによりＳｅ、Ｔｅを溶解し、Ｒｕ、Ｒｈを残渣に残すことを特徴とするセレン、テルルを含む還元滓の浸出方法。
【請求項２】
請求項１における浸出温度を７０〜９０℃とすることを特徴とするセレン、テルルを含む還元滓の浸出方法。
【発明の詳細な説明】
【技術分野】
【０００１】
本発明は、銅電解殿物の湿式処理において発生するセレン、テルルを含む還元滓の処理方法に関するものであり、セレン、テルルを含む還元滓中に存在するロジウム，ルテニウムの濃縮方法に関する。
【背景技術】
【０００２】
銅電解殿物の湿式処理、例えば特開２００１−３１６７３５（特許文献１）においては脱銅工程、塩化浸出工程、金抽出工程を経由する予備処理のあと亜硫酸ガスを用いて、まず白金族を還元し白金族含有還元物を得た後に、さらに亜硫酸ガスを用いてセレン、テルルを含む還元物を得る。
【０００３】
このセレン、テルルを含む還元残渣にはロジウム、ルテニウムが含有しているが、ロジウム、ルテニウムは回収されず、最終的には自溶炉に繰り返されている。
【０００４】
上記方法では、ロジウム，ルテニウムは系内に蓄積されることになり、最終的には白金、パラジウムなどの製品品質に悪影響を及ぼす可能性がある。
【０００５】
上記問題を回避するにはロジウム、ルテニウムを含むセレン，テルル還元滓を系外カットすれば良いが、セレン，テルル還元滓中のロジウム、ルテニウム品位は低く、このまま貯蔵すると貯蔵量が多くなる。
【０００６】
【特許文献１】特開２００１−３１６７３５号公報
【発明の開示】
【発明が解決しようとする課題】
【０００７】
そこで本発明では、ロジウム、ルテニウムを浸出残渣中に濃縮する方法を提供することを目的とする。  
【課題を解決するための手段】
【０００８】
本発明においては、以下の発明を提供する。
（１）Ｓｅ、Ｔｅ、Ｒｕ、Ｒｈを含む還元滓を５０〜１５０ｇ／Ｌのスラリー濃度と成るように、濃度１００〜１５０ｇ／Ｌの水酸化ナトリウム水溶液に入れ、過酸化水素を一定量添加し続け浸出処理を行い、銀−塩化銀電極基準の酸化還元電位が、−３３０〜−４１５ｍVに成った時点で、過酸化水素の添加を中止し、反応を終了することによりＳｅ、Ｔｅを溶解し、Ｒｕ、Ｒｈを残渣に残すことを特徴とするセレン、テルルを含む還元滓の浸出方法。
【０００９】
（２）上記（１）における浸出温度を７０〜９０℃とするセレン、テルル
を含む還元滓の浸出方法。
【００１０】
以下本発明について、詳細に説明する。
セレン、テルルを含む処理対象の還元滓の主な組成は、Ｓｅ５０〜７０
ｍａｓｓ％，Ｔｅ２０〜４０ｍａｓｓ％，Ｒｈ０.５〜１.５ｍａｓｓ％,Ｒｕ
１.０〜２.５ｍａｓｓ％である。
【００１１】
この残渣を濃度１００ｇ／L〜１５０ｇ／Lの水酸化ナトリウム水溶液に５０〜１５０ｇ／Lのスラリー濃度と成るように装入する。
水酸化ナトリウムの濃度下限を１００ｇ／Lとするのは、これより低い濃度
であると浸出処理が効果的に行われないためである。また１５０ｇ／Lより高
い濃度であると、浸出処理が困難なためである。
またスラリー濃度が５０ｇ／Lより低い場合は、液処理量が増えすぎて効率
的浸出処理が不可能になるためである。さらに、スラリー濃度を１５０ｇ／Lより高くすると、浸出が十分行われなくなるためである。
【００１２】
上記の水酸化ナトリウム溶液の浸出液に過酸化水素を一定量づつ添加して、残渣を浸出する。過酸化水素は、例えば３５％過酸化水素を添加する。添加速度は過酸化水素純分５０ｇ〜１００ｇを４〜８時間で、上記浸出液１Ｌに対して添加する。
この浸出時間は、銀−塩化銀電極基準の酸化還元電位が−３３０ｍV〜−４１５ｍVになった時点で止めるとＲｕ，Ｒｈは、浸出されず残渣に残り、Ｔｅ，Ｓｅは、効率良く浸出されることを見出した。この現象は、実施例の図１、図２を参照すると明確に確認できる。
【００１３】
また浸出温度は、７０〜９０℃で行うことが好ましい。浸出効率が高くなるためである。
より好ましくは、７５〜８５℃で行うことが良い。
【発明の効果】
【００１４】
（１）これまで系内に繰り返してきたロジウム、ルテニウムを４〜５倍に濃縮
した形で残渣中に回収できる。
（２）またこれにより、ロジウム、ルテニウムが処理工程の系外に排除できる
ため、従来白金、パラジウムの製品中に混入し、品質に関して悪影響をしてい
た、ロジウム、ルテニウム除去を容易にできる。
【発明を実施するための最良の形態】
【００１５】
（実施例）
表１に示した分析値のセレン、テルルを含む還元滓１００ｇを使用する。
【表１】
2005126800.tif 000002
【００１６】
水酸化ナトリウム濃度１２５ｇ／Lの水溶液１Lに投入し、８０℃に液温を調整し強攪拌する。これに３５mass％過酸化水素を添加する。添加速度は過酸化水素純分７５ｇを６時間で添加する速度である。
【００１７】
この時の１.５時間後、３時間後、４.５時間後、６時間後の残渣量と酸化還元電位を図１に示す。また、セレン、テルル、ロジウム、ルテニウムの浸出率を図２に示す。
【００１８】
図１及び図２を合わせて見ると、４.５時間目まではロジウム、ルテニウムがほとんど溶けていないのに対し、６時間目ではロジウム、ルテニウムが溶け出している。４.５時間目での銀−塩化銀電極基準の酸化還元電位は３８０ｍV程度であり、電位はこのあと急激に上昇している。
【００１９】
したがって、銀−塩化銀電極基準の酸化還元電位を−３３０ｍV〜−４１５ｍV程度で浸出を止めれば、ロジウム、ルテニウムが図２で示されるように２．５ｍａｓｓ％程度しか溶出しない。また、テルルは、９２.５ｍａｓｓ％以上浸出され、セレンは、６３.０ｍａｓｓ％以上浸出できる。この時の浸出残渣の量は２３.１ｇであり、残渣の分析値は表２に示した通りである。
【表２】
2005126800.tif 000003
これにより、ロジウム，ルテニウムを４倍から５倍程度濃縮できる。
【図面の簡単な説明】
【００２０】
【図１】浸出時間と銀−塩化銀電極基準の酸化還元電位の変化と残渣量の変化を示す。
【図２】浸出時間とＴｅ，Ｓｅ，Ｒｕ，Ｒｈの浸出率を示す。
【図１】
2005126800.tif 000004
【図２】
2005126800.tif 000005
(57)【要約】【課題】天然物質を用いて弱った毛根周辺の細胞を活性化させることにより脱毛の進行を抑えて発毛を促進させる養毛剤の提供。【解決手段】３５％甲類焼酎に乾燥したカバノアナタケを漬け２週間以上冷暗保存して抽出した液に蒸留水を加えた液を毛根につける。【特許請求の範囲】
【請求項１】
３５％甲類焼酎に乾燥したカバノアナタケを漬け２週間以上冷暗保存して抽出した液に蒸留水を加えた液を主成分とする養毛剤。
【発明の詳細な説明】
【発明の詳細な説明】
【発明の属する技術分類】
【０００１】（１）  本発明は、弱った毛母細胞を活性化させることにより脱毛の進行を抑えて発毛を促進させる養毛剤である。
（２）  本発明の主たる成分であるカバノアナタケは飲用することにより免疫力を増強させる作用があると言われており人体に良き影響を与える点に着目し、カバノアナタケの成分を毛根周辺に直接つけることにより養毛剤として優れた作用を有することを考え本発明を完成した。
（３）  本発明の養毛剤は３５％甲類焼酎に乾燥したカバノアナタケを漬け、２週間以上冷暗保存して抽出した液に蒸留水を加えた液を主成分とする。
（４）  カバノアナタケは、北海道や東北の一部の酷寒地帯の山林で白樺の古木の幹に数十年かけて寄生するタバコウロタケ科サビアアナタケ属のきのこである。
成分中の大部分が炭水化物であり、繊維質を大量に含有しておりその中には、β−グルカンもありこれには免疫賦活作用があると言われている。
【発明の効果】
【０００２】本発明の養毛剤の主たる原料であるカバノアナタケの成分中に含まれるβ−グルカンによって、毛乳頭にある５αリダクターゼという酵素が男性ホルモンによって毛をつくる毛母細胞の活性の低下をさせるのを抑制し、又焼酎に含まれるアルコールが毛根周辺の毛細血管の血流を促進し頭皮全体の健全な恒常性と活性化により弱った毛根周辺を活性化させるため、脱毛が減り発毛効果が表れるものと推定される。発明者自身、男性型脱毛症になり頭頂部に脱毛があったが、本養毛剤を使用して１ヶ月にて産毛が生え始めるとともに抜け毛が減り、２ヶ月後には産毛の生えてくる範囲が広がり、産毛が１ｃｍ位に伸びてきた。使用から６ヶ月後にはほぼ正常な状態に回復した。
(57)【要約】【課題】補整効果のあるブラジャーは、肩，胴回りの締めつけが強く、肩こり，圧迫感等の肉体的苦痛を感じることが多かった。また、シリコンのみのブラジャーやシール式のものは、装着する際の正しい位置が分かりにくく、外観もファッション性に欠けている。【解決手段】張りのある布製のカップの内側に粘着物質を設け、乳房の収まったそのカップを上方に吊り上げ、腕の付け根のあたりで同種の粘着物質により固定する形態とし、粘着物質は厚さ2〜3mm程度のシリコンで、カップの内側に接着するものは、おわん型の円周からはじまる一部の箇所を取り除いた形状とする。【選択図】図１
2005126850.tif 000002
【特許請求の範囲】
【請求項１】
内側に粘着物質を設けた張りのあるカップを構成しカップの上端にカップの吊り上げ手段を設け、この吊り上げ手段の上部内側に同種の粘着物質を構成してなり、上記カップ内に乳房を収めて、吊り上げ手段の粘着物質を腕の付け根あたりの皮膚に接着して、カップを吊り上げた状態で固定することを特徴とするブラジャー。
【請求項２】
前記粘着物質は厚さ2〜3mm程度のシリコンで、カップの内側に接着するものは、おわん型の円周からはじまる一部の箇所を取り除いた形状であることを特徴とする請求項１記載のブラジャー。
【発明の詳細な説明】
【技術分野】
【０００１】
この発明は、乳房の補整効果は損なわずに、肩ひも，胴回りのバンドなしで装着でき、肩こりやしめつけによる圧迫感のないブラジャーに関する。
【背景技術】
【０００２】
従来のブラジャーの形状は、ワイヤー入りのカップ、肩ひも、胴回りのバンドで構成され、締めつけることで乳房を補整し美しく見せる機能を果たしていた。
【発明の開示】
【発明が解決しようとする課題】
【０００３】
しかしながら、以上の技術によれば、肩，胴回りの締めつけが強く、肩こり，圧迫感等の肉体的苦痛を感じることが多かった。また、シリコンのみのブラジャーやシール式のものは、乳房の位置を上げる機能に欠け、また装着する際の正しい位置が分かりにくく、外観もファッション性に欠けている。
そこで、この発明は、乳房の補整効果は損なわずに、締めつけがなく、また装着する際容易で、外観にファッション性のあるブラジャーを提供することを課題とする。
【課題を解決するための手段】
【０００４】
以上の課題を解決するために、第一発明は、内側に粘着物質を設けた張りのあるカップを構成しカップの上端にカップの吊り上げ手段を設け、この吊り上げ手段の上部内側に同種の粘着物質を構成してなり、上記カップ内に乳房を収めて、吊り上げ手段の粘着物質を腕の付け根あたりの皮膚に接着して、カップを吊り上げた状態で固定することを特徴とするブラジャーである。
また、第二発明は、前記粘着物質は厚さ2〜3mm程度のシリコンで、カップの内側に接着するものは、おわん型の円周からはじまる一部の箇所を取り除いた形状であることを特徴とするブラジャーである。
【発明の効果】
【０００５】
第一発明、または第二発明によれば、布製のカップの内側に粘着物質を設けたことで、肩ひも，胴回りのバンドなしで乳房を補整し美しく見せることができ、締めつけによる肉体的苦痛から解放される。
【発明を実施するための最良の形態】
【０００６】
この発明の一実施形態を、図１に示す。
布製のカップの内側に、厚さ2〜3mm程度のシリコン１が接着されており、乳首に接触しないおわん型の円周からはじまる一部の箇所を取り除いた形状とする。カップ内と同様のシリコン２を腕の付け根あたりにくる布の裏に設ける。カップ３は布製で独立してお椀型を保持できるくらい張りのあるものとする。シリコン１とシリコン２の間にカップ吊り上げ手段である伸縮性のある布４を用いる。カップ１のＡとＢを連結させるホックを設ける。
【０００７】
「実施形態の効果」
この実施形態によれば、シリコン１は直接肌と密着させることで胴回りを圧迫することなく乳房を上方へ吊り上げることを可能にする。シリコン２はカップに収まった乳房を上方へ吊り上げたものを固定する役割を果たす。カップ３は、乳房を収める位置が明確で装着を容易にし、また、外観は従来のブラジャーと同じ布制であることからファッション性があり楽しむことができる。カップ吊り上げ手段の布４は、体の動きでシリコン接着部の皮膚が突っ張ることを防止し、伸縮性のある布を用いることで更に活動的な動きに対しても自然な付け心地が実現できる。ホック５は、乳房を寄せる働きをし補整効果を増大させる。以上の機能をもってすれば肩ひも，胴回りのバンドなしで乳房の補整効果は損なわずに、締めつけによる肉体的苦痛から解放されるブラジャーとなる。
【図面の簡単な説明】
【０００８】
【図１】この発明のブラジャーの装着時平面図である。
【符号の説明】
【０００９】
１  カップ内シリコン
２  固定シリコン
３  布製カップ
４  カップ吊り上げ手段の布
５  ホック
【図１】
2005126850.tif 000003
(57)【要約】【課題】２輪車の他車による後方からの視認性を高め夜間、雨天、制動時、停止時の安全性を向上させる。【解決手段】ヘルメットに車両の制動灯と遠隔的に接続され連動する手段を設けたヘルメット用制動灯装置を取り付ける。【選択図】図１
2005126879.tif 000002
【特許請求の範囲】
【請求項１】
市販されているヘルメット後部に両面粘着テープにより取り付けられ、車体の制動灯と遠隔的に接続され連動する手段を設けたヘルメット用制動灯装置。
【請求項２】
車体の制動灯と連動する手段が有線装置を利用した請求項１記載のヘルメット用制動灯装置。
【請求項３】
車体の制動灯と連動する手段が無線装置を利用した請求項１記載のヘルメット用制動灯装置。
【請求項４】
制動灯が電球である請求項１記載のヘルメット用制動灯装置。
【請求項５】
制動灯が発光ダイオード（ＬＥＤ）である請求項１記載のヘルメット用制動灯装置。
【請求項６】
制動灯が作動していない時にはこれが尾灯として作動する請求項１記載のヘルメット用制動灯装置。
【発明の詳細な説明】
【技術分野】
【０００１】本発明は市販されているヘルメット後部に両面粘着テープにより取り付けられ２輪車の車体の制動灯と遠隔的に接続され連動する手段を設けたヘルメット用制動灯に関する。
【背景技術】
【０００２】従来、２輪車の制動灯は車体後部に小型のものが、１、２個設けられているだけであり他の車両から視認性（特に夜間、雨天）は低く、安全性は十分ではなかった。
【発明の開示】
【発明が解決しようとする課題】
【０００３】４輪車においては高所取り付け型の制動灯が普及し、減速時や停止時の安全性が大きく向上したが、２輪車では構造上、高所取り付け型の制動灯は不可能であり、従来からの制動灯だけでは、制動時や、停止時に他車からの視認性が低いため、安全性も低いという問題点があった。
【課題を解決するための手段】
【０００４】本発明は２輪車における車体高所に相当するヘルメット後部に制動灯を取り付けることで２輪車の安全性を大きく向上させる。
【発明の効果】
【０００５】本発明をヘルメットに取り付けることにより、２輪車の他の車両からの視認性（特に夜間、雨天）が著しく向上し、制動時や停止時の安全性に有効に働き追突事故を減らすことができる。
【発明を実施するための最良の形態】
【０００６】以下、本発明の実施の形態を図１〜図３に基づいて説明する。【０００７】有線装置を用いた場合、制動灯装置（１０）をヘルメット（１２）に取り付け、車体に取り付けられた変圧機（１５）から伸びる接続コード（１３）のコネクター（１４）を制動灯装置（１０）側のコネクター（１６）に接続する。変圧機（１５）は車両の制動灯並びに前照灯と連動して制動灯装置（１０）へ信号を送る。装置内の回路により、前照灯が点灯している時は暗く、制動灯が点灯している時は明るくなるように制御され、制動灯（１１）が作動する。【０００８】無線装置を用いた場合、制動灯装置（２０）と受信機（２３）をヘルメットに取り付ける。受信機（２３）と制動灯装置（２０）は接続コード（２５）により接続される。
作動用バッテリーはバッテリーケース（２８）から伸びる接続コード（２５）のコネクター（２７）を制動灯装置（２０）側のコネクター（２６）に接続する。車体には発信機（２４）を取り付け車両の制動灯ならびに前照灯と連動して受信機（２３）へ信号を送り制動灯（２１）を作動させる。
【実施例】
【０００９】有線装置の接続コード（１３）の先のコネクター（１４）は抜き差しの容易なものを用いる。これは転倒時などにすぐに切り離せる必要があるためであり、接続コード（１３）はヘルメット側から出ているより車体側から出ている方が安全性が高い。有線方式の優れているところは線でつながっているため作動が確実であること、バッテリーをヘルメット側に設ける必要がないため構造がシンプルに出来、軽量に仕上げることができる等、長所が多いシステムである。【００１０】無線方式は、コードレスのため乗降時に線をつなぐ手間はないが、電源が必要となるためバッテリーケース（２８）を上着のポケットに入れるか、ズボンのベルトに装着する必要がある。
【図面の簡単な説明】
【００１１】
【図１】本発明の有線方式の斜視図である
【図２】本発明の無線方式の斜視図である
【図３】制動灯装置の断面図
【符号の説明】
【００１２】１０，２０  制動灯装置
１１，２１  制動灯
１２，２２  ヘルメット
１３，２５，２９，３４  接続コード
１４，１６，２６，２７  コネクター
１５        変圧機
２３        受信機
２４        発信機
２８        バッテリーケース
３０        赤色クリアーレンズ
３１        制御基板
３２        発光ダイオード（ＬＥＤ）
３３        リアカバー
３５        両面粘着テープ
【図１】
2005126879.tif 000003
【図２】
2005126879.tif 000004
【図３】
2005126879.tif 000005
【手続補正書】
【提出日】平成16年2月18日(2004.2.18)
【手続補正１】
【補正対象書類名】明細書
【補正対象項目名】０００８
【補正方法】変更
【補正の内容】
【０００８】無線装置を用いた場合制動灯装置（２０）と受信機（２３）をヘルメットに取り付ける。受信機（２３）と制動灯装置（２０）は接続コード（２９）により接続される。作動用バッテリーはバッテリーケース（２８）から伸びる接続コード（２５）のコネクター（２７）を制動灯装置（２０）側のコネクター（２６）に接続する。
車体には発信機（２４）を取り付け車両の制動灯ならびに前照灯と連動して受信機（２３）へ信号を送り制動灯（２１）を作動させる。
(57)【要約】【課題】従来のつり革は、不特定多数が触れるため不衛生であった。また、ハンカチ等を使用すると神経質な行為と見られがちで体裁が悪かった。【解決手段】  つり革の輪または手すりと掴まる手の平の間に衛生具を介して、手の平が直接につり革の輪または手すりと接触しないようにした。また、衛生具にバンドを付けたことで着脱が簡単に行え、つり革や手すりに掴まったときに他の人に装着していることが目立たないよう露出がバンドのみになるようにした。【選択図】図１
2005126876.tif 000002
【特許請求の範囲】
【請求項１】
車内の吊革や手すりなどに掴まる場合に掴まり部と手の間に介する衛生具であり、衛生具１とバンド２の間に手を入れることで装着及び脱落防止をすることができるようにした衛生具。
【発明の詳細な説明】
【技術分野】
【０００１】本発明は、不特定多数が触れる車内のつり革または手すりに不快感なく衛生的に手を掛けることができるようにした衛生具に関するものである。
【背景技術】
【０００２】従来の車内のつり革または手すりは直接掴むものであった。また掴まり用衛生具もあるが、指の厚さ以上の突起があるため衣類にしまい込むにはかさ張った。【０００３】
【特許文献１】特開平２００１−３４８７１２
【発明の開示】
【発明が解決しようとする課題】
【０００４】不特定多数が使用する車内のつり革または手すりに不快感を生じながらも、車内の揺れに対し直接掴まらざるを得なかった。不快感なく掴まるためには、手袋やハンカチまたはティッシュを使用することも考えられるが、神経質な行為と見られがちで体裁の悪いものであった。本発明は、この課題を解消するためになされたものである。
【課題を解決するための手段】
【０００５】本発明は、つり革または手すりに掴まるとき、つり革の輪または手すりと掴まる手の平の間に衛生具を介して、手の平が直接につり革の輪または手すりと接触しないようにした。また、つり革または手すりに掴まったときに、装着していることが他の人に目立たないよう、露出が衛生具のバンドのみになるようにした。
【発明の効果】
【０００６】つり革または手すりに不快感なく掴まることができる。また、薄く小さい形状のため使用の前後も衣類のポケット等にかさ張らずしまえるため容易に携帯することができる。
【発明を実施するための最良の形態】
【０００７】本発明は、つり革または手すりが直接接触する手の平だけをカバーするもので、衛生具１とバンド２の間に手を入れることで装着及び脱落防止をすることができ、薄く小さい形状のため衣類のポケット等にかさ張らずしまい込めるようにした。
【図面の簡単な説明】
【図１】１  本発明を装着しつり革に掴まっている図。
【図２】２  本発明の正面図。
【図３】３  本発明の側面図。
【符号の説明】
１  衛生具２  バンド３  つり革
【図１】
2005126876.tif 000003
【図２】
2005126876.tif 000004
【図３】
2005126876.tif 000005
(57)【要約】【課題】  このズボン吊り用の離脱型スライドファスナーを使用したズボンは、従来のズボン吊りで上部の離脱型スライドファスナー（Ｂ）を取付ける、又、ズボンのベルト帯に下部の離脱型スライドファスナー（Ｃ）を取り付け機能を二分する。  そして、離脱型スライドファスナー（Ａ）にて接合、開閉により繋げる事によりズボン吊りを構成する。【解決手段】  ズボン吊りの上部を肩に吊れば、上着を着ても容易にズボンを履く事が出来る、ズボン吊りに上部の離脱型スライドファスナーを取り付けて、ズボンを履き腹の前で離脱型スライドファスナーを接合させ、ファスナーのスライド器を背部へスライドさせて閉じれば簡便にズボンを着用する事が出来る。  又、ズボンのチャックを下ろして開き、ズボン吊りの離脱型ファスナーをスライド器で開くだけで、ズボン吊りの上部の背面がずれ上がり、ズボンと共に前面が下がり、そして、ズボンの後方が更に大きく下がって尻を出し用足す事が出来る。【選択図】  図１
2005126874.tif 000002
【特許請求の範囲】
【請求項１】
ズボンにズボン吊り用の離脱型スライドファスナー（Ａ）を使用して従来形のズボン吊り（図２）とで構成する。
ズボン吊りで肩に下げる上部は従来形のズボン吊りのズボンを吊る金具で上部の離脱型スライドファスナー（Ｂ）を固定する。
ズボンに装着する下部の離脱型スライドファスナー（Ｃ）とに、機能を分離する，そして、離脱型スライドファスナーの接合部（４）をズボンの前側のベルト帯の下でベルト通し（ａ）の下部の位置に、そして、ファスナーの閉じ終り（５）をズボンの後側のベルト帯のベルト通し（ｂ）の下部の位置に離脱型スライドファスナー（Ｃ）を、左右に、二個所に設置することを特徴とするズボン吊り用の離脱型スライドファスナー（Ａ）を装着したズボン。
【発明の詳細な説明】
【発明の詳細な説明】
【技術分野】
【０００１】この発明は、ズボン吊り用の離脱型スライドファスナーを装着したズボンに関する。
【背景技術】
【０００２】  従来のズボン吊りはの形状は、（図２）に示すように、肩から下げるベルト（１４）の先の取り付け金具（６）（９）等にてズボン（１８）の前後に取り付けて、ズボンとズボン吊りを一体化して使用する。
そして、ズボンを履く時はズボンにズボン吊りを取り付けてから、ズボンに足を入れてズボン吊りを肩に掛けて使用することに成る。
又、特許出願中の特願２００２−３８２７７１の離脱型スライドファスナーを使用したズボン吊りで特許請求の範囲に入らないと考え出願した。
【発明か解決しようとする課題】
【０００３】  従来のズボン吊りを肩に掛けた上に、上着を着る事が多い、その為、ズボンを脱ぐ履く時や、ズボンを下げて用足しする時などは、上着を脱いで、肩よりズボン吊りを外して行なう事になり、不便で手間が掛かる。
そこで、この発明は  上着を着ていてもズボンを簡便に脱ぎ、履き、着用出来るズボンを提供すること。
【０００４】  又、ズボン吊りを肩から外さず、そして、ズボン吊りからズボンを外す事なく尻を出し、用足し出来るズボンを提供することを課題とする。
【課題を解決するための手段】
【０００５】  以上の課題を解決するために、請求項１の発明は、ズボンにズボン吊り用の離脱型スライドファスナー（Ａ）を使用して従来形のズボン吊り（図２）とで構成する。ズボン吊りで肩に下げる上部は従来形のズボン吊りのズボンを吊る金具で上部の離脱型スライドファスナー（Ｂ）を固定する。
ズボンに装着する下部の離脱型スライドファスナー（Ｃ）とに、機能を分離する，そして、離脱型スライドファスナーの接合部（４）をズボンの前側のベルト帯の下でベルト通し（ａ）の下部の位置に、そして、ファスナーの閉じ終り（５）をズボンの後側のベルト帯のベルト通し（ｂ）の下部の位置に離脱型スライドファスナー（Ｃ）を、左右に、二個所に設置することを特徴とするズボン吊り用の離脱型スライドファスナー（Ａ）を装着したズボン。
【発明を実施するための最良の形態】
【０００６】  この発明の一実施形態を、図１に示す。
ズボンの前側のベルト帯の下でベルト通し下部の位置にズボンに装着する下部の離脱型スライドファスナーの接合部を、又、ズボンの後面のベルト帯の下でベルト通し下部の位置に下部の離脱型スライドファスナーの閉じ終りを配置しズボンの左右に二箇所設置する。
従来のズボン吊りでズボンの取り付け金物でズボンを吊る替わりに上部の離脱型スライドファスナーを吊ることが出来る。
離脱型スライドファスナーはスライド器で接合部まで開くと離脱しかすいのでホックボタン等を設置する。
【実施形態の効果】
【０００７】  この実施形態によれば、ズボン吊り用の離脱型スライドファスナーを装着したズボンは、ズボン吊りに上部の離脱型スライドファスナーを取り付けて肩に吊れば上着を着ても容易にズボンを履く事が出来る、ズボンを履き，腹の前で離脱型スライドファスナーを接合させ、ファスナーのスライド器を背部へスライドさせて閉じるだけで簡便にズボンを着用する事が出来る。
【０００８】  又、ズボンのチャック（１５）を下げて前を開け、ズボンの離脱型スライドファスナー（１）をスライド器（１０）で腹の前まで開くだけで、ズボン吊りの上部（２）の背面がずれ上がり、ズボン（１８）と共に前面が下がり、ズボンの後方が更に大きく下がって尻を出し、用足す事が出来る、そして、ズボンが落ちない、利点のあるズボンである。
【他の実施形態】
【０００９】  従来のズボンには下部の離脱型スライドファスナーをズボンのベルト帯の上や下部、又はベルト帯の内側に取り付けることが出来る。
【発明の効果】
【００１０】  以上説明したように、この発明によれば、ズボン吊り用の離脱型スライドファスナーを組み込んだズボンはズボンを簡便に着用、履き替え出来、また、尻を出して用足しが簡便に出来るズボン吊りである。
【図面の簡単な説明】
【図１】この発明の一実施形態を示す平面図
【図２】従来技術を示す斜視図
【符号の説明】
Ａ  ズボン吊り用の離離脱型スライドファスナー
Ｂ  上部の離脱型スライドファスナー
Ｃ  下部の離脱型スライドファスナー
ａ  ズボンの前側のベルト帯の下でベルト通しの下部の位置
ｂ  ズボンの後側のベルト帯の下でベルト通しの下部の位置
ｃ  ズボンのベルト帯
ｄ  ズボンのベルト通し
ｅ  ズボンの前側
ｆ  ズボンの後側
１  離離脱型スライドファスナー
２  ズボン吊りの上部
３  ズボン吊りの下部
４  離脱型スライドファスナー接合部
５  離脱型スライドファスナー閉じ終り位置
６  前面のズボンの取り付け金具
７  ズボン吊り上部のファスナーの片側
８  ズボン吊り下部のファスナーの片側
９  後面のズボンの取り付け金具
１０  ファスナーのスライド器
１１  交差金具
１２  スライドバックル
１３  ホックボタン
１４  ズボン吊りのベルト
１５  ズボンのチャック
１６  ズボンの取り付け金具
１７  ズボン吊り
１８  ズボン
【図１】
2005126874.tif 000003
【図２】
2005126874.tif 000004
(57)【要約】【課題】本考案は、夏の炎天下及び冬場の寒冷下で毎日、屋外作業に従事せざるを得ない人が、屋内の快適な事務所同様の、環境下で、屋外作業が出来る様に、人体に装着が出来る、空調機システムを提供する。【解決手段】身体を快適に、温度調整する能力を有した、小型空調機（１）と（１）を作動させる為の、小型燃料電池（２）と、（１）から発生するエアーにて身体の、皮膚及び衣類の表面の、湿度及び温度を、調整しながら、循環・排出が出来る、省エネ空調服（３）を備え、身体へ装着をする事を目的とした、空調機システムを特徴とする。【選択図】    図１
2005126877.tif 000002
【特許請求の範囲】
【請求項１】
身体を、快適に温度調整する能力を有した、小型空調機（１）と、（１）を作動させる為の、小型燃料電池（２）と、（１）から発生するエアーにて、身体の皮膚及び、衣類の表面の、湿度及び、温度を、調整しながら、循環・排出が出来る、省エネ空調服（３）を備え、身体へ装着をする事を目的とした、空調機システムを特徴とする。
【発明の詳細な説明】
【技術分野】
【０００１】ルームエアコン同様の、空調装備を、身体への、装着を可能にして、屋外において長時間、快適な環境を実現する為の、新、空調機システ厶の発案に、関する技術である。
【背景技術】
【０００２】本発明は文献、特許公開２００２−２７０２１２の、代表図等、に見られるような、携帯型燃料電池を活用して、身体に装着が出来、長時間、快適な環境が得られる空調装置を目指すものであり、従来の技術は、特許公開平１０−１４１８２４の、図２等に見られるような、冷房服が提案されているものの、長時間の使用を可能とする、動力源を含めた、冷房・暖房の両用空調機システムの実用化及び提案は見当らない。
【発明の開示】
【発明が解決しようとする課題】
【０００３】効率良く身体だけを冷房・暖房する方式を、発明すれば、ルームエアコンの、部屋全体の空調と比較した場合、ほんの僅かな、空調機・電力の能力で、事足り、空調システムの、超小型・軽量化が、容易で、身体への装着の、実用化が、可能でありこうした、空調機シテムを、世に送り出す事を課題とした、発明である。
【課題を解決するための手段】
【０００４】身体を、快適な温度及び、湿度を維持する為の軽量・小型空調機の採用と、これを作動させる為の、携帯形燃料電池の採用と、身体への均一配風及び、エアーの循環・排出を行う、省エネ空調服の、３点を組合せ、且つ、一体化させ、身体へ装着が出来る様にする。
【発明の効果】
【０００５】屋外の酷暑・酷寒場所においても、本発明品を装着する事に依り、屋内の冷・暖房された事務所と同様の環境が、実現出来、屋外作業に従事する人等の環境の向上に役立つ、又、屋内においても、省エネタイプの空調機として使用が出来る。
【発明を実施するための最良の形態】
【０００６】身体の空調能力を有する程度に小型化した、エアコン（１）と、（１）を作動させる能力を有した、小型燃料電池（２）と、身体への均一配風を行う、省エネ空調服（３）を組合せ、且つ、これらを、一体化させ、身体への装着を容易にし、（３）は人及び、用途に応じて、形・大きさ・冷却方式を対応させる。
【図面の簡単な説明】
【図１】  ウェアラブルエアコンの斜視図である。
【図２】  ウェアラブルエアコンの人体装着事例、図である。
【符号の説明】
１  小型空調機
２  小型燃料電池
３  省エネ空調服
【図１】
2005126877.tif 000003
【図２】
2005126877.tif 000004